(57)【要約】  本開示のいくつかの態様は、概して、ワイヤレス通信に関し、より詳細には、マシンタイプ通信（ＭＴＣ）のカバレージ拡張のための単一周波数ネットワーク（ＳＦＮ）動作における技法に関する。ユーザ機器（ＵＥ）によるワイヤレス通信のための方法が提供される。本方法は、一般に、複数の送信ポイントのうちの少なくとも１つから送信された同期信号を検出することと、ここにおいて、前記複数の送信ポイントの各々は同期したネットワークにおいてサブフレーム境界に対して異なるオフセット時間において同期信号を送信する、複数の送信ポイントのうちの少なくとも１つから送信されたシステム情報を監視するために、同期信号を検出してから固定された時間の後に生じるサブフレームを決定することと、決定されたサブフレーム中にシステム情報ブロックを監視することとを含む。
2016507199.tif 000002
【特許請求の範囲】
【請求項１】
ユーザ機器（ＵＥ）によるワイヤレス通信のための方法であって、
複数の送信ポイントからの単一周波数ネットワーク（ＳＦＮ）モードにおいてブロードキャストされた少なくとも１つの同期信号を検出することと、前記少なくとも１つの同期信号は、同期したネットワークにおいてサブフレーム境界に関するタイミングを提供する、
前記複数の送信ポイントのうちの少なくとも１つから送信されたシステム情報を監視するために、前記少なくとも１つの同期信号を検出してから固定された時間の後に生じるサブフレームを決定することと、
前記決定されたサブフレーム中でシステム情報ブロックを監視することと
を備える、方法。
【請求項２】
前記複数の送信ポイントのうちの少なくとも１つを用いてランダムアクセスチャネル（ＲＡＣＨ）プロシージャを実行することをさらに備える、請求項１に記載の方法。
【請求項３】
前記ＲＡＣＨプロシージャを実行することは、前記複数の送信ポイントのうちの前記少なくとも１つに、延長された送信時間間隔（ＴＴＩ）でＲＡＣＨメッセージを送信することを備える、請求項２に記載の方法。
【請求項４】
システム情報ブロック（ＳＩＢ）送信後に固定されたタイミングでＲＡＣＨを実行することをさらに備える、請求項２に記載の方法。
【請求項５】
前記ＵＥは、様々なリソースブロック（ＲＢ）を有する複数のＲＡＣＨ構成で構成される、請求項２に記載の方法。
【請求項６】
前記ＲＡＣＨプロシージャを実行するために使用されるＲＡＣＨ構成に基づいて情報をシグナリングすることをさらに備える、請求項５に記載の方法。
【請求項７】
前記ＲＡＣＨプロシージャを実行するために使用される前記ＲＡＣＨ構成は、新しいサービス設定または前記ＲＡＣＨプロシージャの緊急度のうちの少なくとも１つを示す、請求項６に記載の方法。
【請求項８】
前記複数の送信ポイントは、送信ポイントの異なるグループを備え、各グループは、異なる仮想セルＩＤと関連付けられる、請求項１に記載の方法。
【請求項９】
複数の送信ポイントは、ＳＦＮモードにおいてシステム情報を送信する、請求項１に記載の方法。
【請求項１０】
異なるセルＩＤに対応する異なる送信ポイントは、異なるシステム情報を送信する、請求項１に記載の方法。
【請求項１１】
前記少なくとも１つの同期信号は、電力が増大されるか、延長された持続時間で送信されるか、または狭帯域幅で送信されるうちの少なくとも１つである、請求項１に記載の方法。
【請求項１２】
前記監視されるシステム情報ブロックは、実際のシステムタイミングまたは次のマシンタイプ通信（ＭＴＣ）サブフレームに対するシステムタイミングを搬送するために物理ブロードキャストチャネル（ＰＢＣＨ）とＳＩＢとを組み合わせる、請求項１に記載の方法。
【請求項１３】
ユーザ機器（ＵＥ）によるワイヤレス通信のための方法であって、
複数の送信ポイントのうちの少なくとも１つから送信された同期信号を検出することと、前記複数の送信ポイントの各々は、同期したネットワークにおいてサブフレーム境界に対して異なるオフセット時間で同期信号を送信する、
前記複数の送信ポイントのうちの少なくとも１つから送信されたシステム情報を監視するために、前記同期信号を検出してから固定された時間の後に生じるサブフレームを決定することと、
前記決定されたサブフレーム中でシステム情報ブロックを監視することと
を備える、方法。
【請求項１４】
前記複数の送信ポイントのうちの少なくとも１つを用いてランダムアクセスチャネル（ＲＡＣＨ）プロシージャを実行することをさらに備える、請求項１３に記載の方法。
【請求項１５】
前記ＲＡＣＨプロシージャを実行することは、前記複数の送信ポイントのうちの前記少なくとも１つに、延長された送信時間間隔（ＴＴＩ）でＲＡＣＨメッセージを送信することを備える、請求項１４に記載の方法。
【請求項１６】
前記ＵＥは、前記ＲＡＣＨプロシージャ中に、同期したネットワークタイミングを示す応答を受信する、請求項１４に記載の方法。
【請求項１７】
前記ＲＡＣＨプロシージャを実行した後、
複数のサブフレーム中に低電力状態に入ることと、
前記ＵＥと通信するために指定されたサブフレーム中に前記低電力状態から抜け出すことと
をさらに備える、請求項１４に記載の方法。
【請求項１８】
前記同期信号は、各送信ポイントによって送信された共通のシーケンスを含む少なくとも一部分を備える、請求項１３に記載の方法。
【請求項１９】
前記複数の送信ポイントは、送信ポイントの異なるグループを備え、各グループは、異なる仮想セルＩＤと関連付けられる、請求項１３に記載の方法。
【請求項２０】
ユーザ機器（ＵＥ）によるワイヤレス通信のための装置であって、
複数の送信ポイントからの単一周波数ネットワーク（ＳＦＮ）モードにおいてブロードキャストされた少なくとも１つの同期信号を検出するための手段と、前記少なくとも１つの同期信号は、同期したネットワークにおいてサブフレーム境界に関するタイミングを提供する、
前記複数の送信ポイントのうちの少なくとも１つから送信されたシステム情報を監視するために、前記少なくとも１つの同期信号を検出してから固定された時間の後に生じるサブフレームを決定するための手段と、
前記決定されたサブフレーム中でシステム情報ブロックを監視するための手段と
を備える、装置。
【請求項２１】
前記複数の送信ポイントのうちの少なくとも１つを用いてランダムアクセスチャネル（ＲＡＣＨ）プロシージャを実行するための手段をさらに備える、請求項２０に記載の装置。
【請求項２２】
前記ＲＡＣＨプロシージャを実行するための前記手段は、前記複数の送信ポイントのうちの前記少なくとも１つに、延長された送信時間間隔（ＴＴＩ）でＲＡＣＨメッセージを送信するための手段を備える、請求項２１に記載の装置。
【請求項２３】
ＳＩＢ送信後に固定されたタイミングでＲＡＣＨを実行するための手段をさらに備える、請求項２１に記載の装置。
【請求項２４】
前記ＵＥは、様々なリソースブロック（ＲＢ）を有する複数のＲＡＣＨ構成で構成される、請求項２１に記載の装置。
【請求項２５】
前記ＲＡＣＨプロシージャを実行するために使用されるＲＡＣＨ構成に基づいて情報をシグナリングすることをさらに備える、請求項２４に記載の装置。
【請求項２６】
前記ＲＡＣＨプロシージャを実行するために使用される前記ＲＡＣＨ構成は、新しいサービス設定または前記ＲＡＣＨプロシージャの緊急度のうちの少なくとも１つを示す、請求項２５に記載の装置。
【請求項２７】
ユーザ機器（ＵＥ）によるワイヤレス通信のための装置であって、
複数の送信ポイントのうちの少なくとも１つから送信された同期信号を検出するための手段と、前記複数の送信ポイントの各々は、同期したネットワークにおいてサブフレーム境界に対して異なるオフセット時間で同期信号を送信する、
前記複数の送信ポイントのうちの少なくとも１つから送信されたシステム情報を監視するために、前記同期信号を検出してから固定された時間の後に生じるサブフレームを決定するための手段と、
前記決定されたサブフレーム中でシステム情報ブロックを監視するための手段と
を備える、装置。
【請求項２８】
前記複数の送信ポイントのうちの少なくとも１つを用いてランダムアクセスチャネル（ＲＡＣＨ）プロシージャを実行するための手段をさらに備える、請求項２７に記載の装置。
【請求項２９】
前記ＲＡＣＨプロシージャを実行するための前記手段は、前記複数の送信ポイントのうちの前記少なくとも１つに、延長された送信時間間隔（ＴＴＩ）でＲＡＣＨメッセージを送信するための手段を備える、請求項２８に記載の装置。
【請求項３０】
前記ＵＥは、前記ＲＡＣＨプロシージャ中に、同期したネットワークタイミングを示す応答を受信する、請求項２８に記載の装置。
【発明の詳細な説明】
【技術分野】
【０００１】
米国特許法第１１９条に基づく優先権の主張
[0001]本出願は、その全体が参照により本明細書に組み込まれる、２０１３年２月１３日に出願された米国仮特許出願第６１／７６４，５３３号の利益を主張する。
【０００２】
[0002]本開示のいくつかの態様は、概して、ワイヤレス通信に関し、より詳細には、マシンタイプ通信（ＭＴＣ）のカバレージ拡張のための単一周波数ネットワーク（ＳＦＮ）動作における技法に関する。
【背景技術】
【０００３】
[0003]ワイヤレス通信システムは、音声、データなどの、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ：3rd Generation Partnership Project）ロングタームエボリューション（ＬＴＥ：Long Term Evolution）／ＬＴＥアドバンストシステムおよび直交周波数分割多元接続（ＯＦＤＭＡ）システムがある。
【０００４】
[0004]概して、ワイヤレス多元接続通信システムは、複数のワイヤレス端末のための通信を同時にサポートすることができる。各端末は、順方向リンクおよび逆方向リンク上での送信を介して１つまたは複数の基地局と通信する。順方向リンク（またはダウンリンク）は、基地局から端末への通信リンクを指し、逆方向リンク（またはアップリンク）は、端末から基地局への通信リンクを指す。この通信リンクは、単入力単出力、多入力単出力または多入力多出力（ＭＩＭＯ）システムを介して確立され得る。
【０００５】
[0005]ワイヤレス通信ネットワークは、いくつかのワイヤレスデバイスの通信をサポートすることができるいくつかの基地局を含み得る。ワイヤレスデバイスとしては、ユーザ機器（ＵＥ）およびリモートデバイスがある。ＵＥは、人間による直接制御のもとで動作するデバイスである。ＵＥのいくつかの例としては、セルラーフォン、スマートフォン、携帯情報端末（ＰＤＡ）、ワイヤレスモデム、ハンドヘルドデバイス、タブレット、ラップトップコンピュータ、ネットブック、スマートブック、ウルトラブックなどがある。リモートデバイスは、人間によって直接制御されることなく動作するデバイスである。リモートデバイスのいくつかの例としては、センサー、メーター、ロケーションタグなどがある。リモートデバイスは、基地局、別のリモートデバイス、またはいくつかの他のエンティティと通信し得る。マシンタイプ通信（ＭＴＣ）は、通信の少なくとも１つの端部に少なくとも１つのリモートデバイスを含む通信を指す。
【発明の概要】
【０００６】
[0006]本開示のいくつかの態様は、マシンタイプ通信（ＭＴＣ）のカバレージ拡張のための単一周波数ネットワーク（ＳＦＮ）動作における技法および装置を提供する。
【０００７】
[0007]本開示のいくつかの態様は、ユーザ機器（ＵＥ）によるワイヤレス通信のための方法を提供する。本方法は、一般に、ＳＦＮモードにおいて複数の送信ポイントからブロードキャストされた少なくとも１つの同期信号を検出することと、前記少なくとも１つの同期信号は同期したネットワークにおいてサブフレーム（ＳＦ）境界に関するタイミングを提供する、複数の送信ポイントのうちの少なくとも１つから送信されたシステム情報を監視するために、同期信号を検出してから固定された時間の後に生じるサブフレームを決定することと、決定されたサブフレーム中にシステム情報ブロックを監視することとを含む。
【０００８】
[0008]本開示のいくつかの態様は、ＵＥによるワイヤレス通信のための方法を提供する。本方法は、一般に、複数の送信ポイントのうちの少なくとも１つから送信された同期信号を検出することと、ここにおいて、前記複数の送信ポイントの各々は同期したネットワークにおいてサブフレーム境界に対して異なるオフセット時間において同期信号を送信する、複数の送信ポイントのうちの少なくとも１つから送信されたシステム情報を監視するために、同期信号を検出してから固定された時間の後に生じるサブフレームを決定することと、決定されたサブフレーム中にシステム情報ブロックを監視することとを含む。
【０００９】
[0009]本開示のいくつかの態様は、ＵＥによるワイヤレス通信のための方法を提供する。本方法は、一般に、第１のタイプのＵＥのために指定されたサブフレーム中で、ダウンリンクサブフレーム内の少なくとも１つのシンボル全体を使用して１つまたは複数の送信ポイントから送信された基準信号を受信することを含む。
【００１０】
[0010]本開示のいくつかの態様は、ＵＥによるワイヤレス通信のための方法を提供する。本方法は、一般に、物理アップリンク共有チャネル（ＰＵＳＣＨ）を送信することと、ＰＵＳＣＨ中にパイロットシンボルを含むこととを含み、ここにおいて、パイロットシンボルに使用されるシンボルの数は、ＵＥのカバレージに基づいて変化する。
【００１１】
[0011]本開示のいくつかの態様は、ユーザ機器（ＵＥ）によるワイヤレス通信のための装置を提供する。本装置は、一般に、ＳＦＮモードにおいて複数の送信ポイントからブロードキャストされた少なくとも１つの同期信号を検出するための手段と、前記少なくとも１つの同期信号は同期したネットワークにおいてサブフレーム（ＳＦ）境界に関するタイミングを提供する、送信ポイントのうちの少なくとも１つから送信されたシステム情報を監視するために、同期信号を検出してから固定された時間の後に生じるサブフレームを決定するための手段と、決定されたサブフレーム中にシステム情報ブロックを監視するための手段とを含む。
【００１２】
[0012]方法、装置、システム、コンピュータプログラム製品、コンピュータ可読媒体、および処理システムを含む多数の他の態様が提供される。
【図面の簡単な説明】
【００１３】
【図１】[0013]本開示のいくつかの態様による、ワイヤレス通信ネットワークの一例を概念的に示すブロック図。
【図２】[0014]本開示のいくつかの態様による、ワイヤレス通信ネットワークにおいてユーザ機器（ＵＥ）と通信している基地局の一例を概念的に示すブロック図。
【図３】[0015]本開示のいくつかの態様による、ワイヤレス通信ネットワークにおけるフレーム構造の一例を概念的に示すブロック図。
【図４】[0016]ノーマルサイクリックプレフィックスを含む２つの例示的なサブフレームフォーマットを概念的に示すブロック図。
【図５】[0017]本開示のいくつかの態様による、初期のサービス設定のための例示的な同期を示す図。
【図６】[0018]本開示のいくつかの態様による、ＭＴＣ＿ＲＡＣＨの後にセルがさらに分割される、ＭＴＣサービス設定を有する例示的なＭＴＣ＿ＳＦを示す図。
【図７】[0019]本開示のいくつかの態様による、ＭＴＣ＿ＳＩＢ＿ＬＩＴＥにおいてＭＴＣ＿ＲＡＣＨの前に分割された例示的なセルを示す図。
【図８】[0020]本開示のいくつかの態様による、局所的なＳＦＮエリア内のチャネルに関する例示的なＳＦＮ  ＤＬとジョイント受信ＵＬとを示す図。
【図９】[0021]本開示のいくつかの態様による、同期およびデータのセル分割に関する例示的な広域的ＳＦＮを示す図。
【図１０】[0022]本開示のいくつかの態様による、すべてのチャネルに関する局所的なＳＦＮの例示的なコールフローを示す図。
【図１１】[0023]本開示のいくつかの態様による、広域的な同期ＳＦＮと局所的な分割データとに関する例示的なコールフローを示す図。
【図１２】[0024]本開示のいくつかの態様による、ＭＴＣ同期およびＲＡＣＨの時間および周波数の再使用を示す図。
【図１３】[0025]本開示のいくつかの態様による、ＵＥによるワイヤレス通信のための例示的な動作を示す図。
【図１４】[0026]本開示のいくつかの態様による、ＵＥによるワイヤレス通信のための例示的な動作を示す図。
【図１５】[0027]本開示のいくつかの態様による、ＵＥによるワイヤレス通信のための例示的な動作を示す図。
【図１６】[0028]本開示のいくつかの態様による、ＵＥによるワイヤレス通信のための例示的な動作を示す図。
【発明を実施するための形態】
【００１４】
[0029]本開示の態様は、マシンタイプ通信（ＭＴＣ）のカバレージ拡張のための単一周波数ネットワーク（ＳＦＮ）動作における技法を提供する。
【００１５】
[0030]本明細書に記載される技法は、ＣＤＭＡ、ＴＤＭＡ、ＦＤＭＡ、ＯＦＤＭＡ、ＳＣ−ＦＤＭＡ、および他のネットワークなどの、様々なワイヤレス通信ネットワークに使用される場合がある。「ネットワーク」および「システム」という用語は、しばしば互換的に使用される。ＣＤＭＡネットワークは、ユニバーサル地上波無線アクセス（ＵＴＲＡ：universal terrestrial radio access）、ｃｄｍａ２０００などの無線技術を実装し得る。ＵＴＲＡとしては、広帯域ＣＤＭＡ（ＷＣＤＭＡ（登録商標））、時分割同期ＣＤＭＡ（ＴＤ−ＳＣＤＭＡ）、およびＣＤＭＡの他の変形態がある。ｃｄｍａ２０００は、ＩＳ−２０００規格と、ＩＳ−９５規格と、ＩＳ−８５６規格とをカバーする。ＴＤＭＡネットワークは、モバイル通信用グローバルシステム（ＧＳＭ（登録商標）：global system for mobile communications）などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：universal mobile telecommunication system）の一部である。周波数分割複信（ＦＤＤ）と時分割複信（ＴＤＤ）の両方における３ＧＰＰロングタームエボリューション（ＬＴＥ）およびＬＴＥアドバンスト（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２）と称する団体からの文書に記載されている。本明細書において説明される技法は、上述のワイヤレスネットワークおよび無線技術、ならびに他のワイヤレスネットワークおよび無線技術に使用され得る。明快のために、本技法のいくつかの態様について以下ではＬＴＥ／ＬＴＥアドバンストに関して説明し、以下の説明の大部分でＬＴＥ／ＬＴＥアドバンストの用語を使用する。ＬＴＥおよびＬＴＥ−Ａは、一般にＬＴＥと呼ばれる。
【００１６】
例示的なワイヤレスネットワーク
[0031]図１は、ＬＴＥネットワークまたはいくつかの他のワイヤレスネットワークであり得るワイヤレス通信ネットワーク１００を示す。ワイヤレスネットワーク１００は、いくつかの発展型ノードＢ（ｅＮＢ）１１０と、他のネットワークエンティティとを含み得る。ｅＮＢは、ユーザ機器（ＵＥ）と通信するエンティティであり、基地局、ノードＢ、送信ポイント、アクセスポイントなどと呼ばれることもある。各ｅＮＢは、特定の地理的エリアに通信カバレージを提供し得る。３ＧＰＰでは、「セル」という用語は、この用語が使用されるコンテキストに応じて、ｅＮＢのカバレージエリアおよび／またはこのカバレージエリアにサービスしているｅＮＢサブシステムを指すことがある。
【００１７】
[0032]ｅＮＢは、マクロセル、ピコセル、フェムトセル、および／または他のタイプのセルに通信カバレージを提供し得る。マクロセルは、比較的大きい地理的エリア（たとえば、半径数キロメートル）をカバーすることができ、サービスに加入しているＵＥによる無制限のアクセスを許容する場合がある。ピコセルは、比較的小さい地理的エリアをカバーすることができ、サービスに加入しているＵＥによる無制限のアクセスを許容する場合がある。フェムトセルは、比較的小さい地理的エリア（たとえば、住宅）をカバーすることができ、フェムトセルとの関連を有するＵＥ（たとえば、限定加入者グループ（ＣＳＧ：Closed Subscriber Group）中のＵＥ）による制限付きアクセスを許容する場合がある。マクロセル用のｅＮＢは、マクロｅＮＢと呼ばれることがある。ピコセル用のｅＮＢは、ピコｅＮＢと呼ばれることがある。フェムトセル用のｅＮＢは、フェムトｅＮＢまたはホームｅＮＢ（ＨｅＮＢ）と呼ばれることがある。図１に示す例では、ｅＮＢ１１０ａは、マクロセル１０２ａ用のマクロｅＮＢであり得、ｅＮＢ１１０ｂは、ピコセル１０２ｂ用のピコｅＮＢであり得、ｅＮＢ１１０ｃは、フェムトセル１０２ｃ用のフェムトｅＮＢであり得る。ｅＮＢは、１つまたは複数の（たとえば、３つの）セルをサポートし得る。「ｅＮＢ」、「基地局」、および「セル」という用語は、本明細書では互換的に使用され得る。
【００１８】
[0033]ワイヤレスネットワーク１００は、中継局も含み得る。中継局は、上流局（たとえば、ｅＮＢまたはＵＥ）からのデータ送信を受信し、そのデータ送信を下流局（たとえば、ＵＥまたはｅＮＢ）に送信することができるエンティティである。中継局はまた、他のＵＥに対する送信を中継することができるＵＥであり得る。図１に示す例では、中継局１１０ｄは、ｅＮＢ１１０ａとＵＥ１２０ｄとの間の通信を容易にするためにマクロｅＮＢ１１０ａおよびＵＥ１２０ｄと通信し得る。中継局は、中継ｅＮＢ、中継基地局、リレーなどと呼ばれることもある。
【００１９】
[0034]ワイヤレスネットワーク１００は、様々なタイプのｅＮＢ、たとえば、マクロｅＮＢ、ピコｅＮＢ、フェムトｅＮＢ、リレーｅＮＢなどを含む異種ネットワークであり得る。これらの様々なタイプのｅＮＢは、様々な送信パワーレベル、様々なカバレージエリア、およびワイヤレスネットワーク１００中の干渉に対する様々な影響を有し得る。たとえば、マクロｅＮＢは、高い送信電力レベル（たとえば、５〜４０ワット）を有し得るが、ピコｅＮＢ、フェムトｅＮＢ、およびリレーｅＮＢは、より低い送信電力レベル（たとえば、０．１〜２ワット）を有し得る。
【００２０】
[0035]ネットワークコントローラ１３０は、ｅＮＢのセットに結合し得、これらのｅＮＢの協調および制御を実現し得る。ネットワークコントローラ１３０は、バックホールを介してｅＮＢと通信し得る。ｅＮＢは、たとえば、ワイヤレスバックホールまたはワイヤラインバックホールを介して直接または間接的に互いに通信することもできる。
【００２１】
[0036]ＵＥ１２０（たとえば、１２０ａ、１２０ｂ、１２０ｃ）は、ワイヤレスネットワーク１００全体に拡散される場合があり、各ＵＥは、固定またはモバイルであり得る。ＵＥは、アクセス端末、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、スマートフォン、ネットブック、スマートブック、ウルトラブックなどであり得る。図１では、両矢印付きの実線は、ダウンリンクおよび／またはアップリンク上で、ＵＥと、そのＵＥにサービスするように指定されたｅＮＢであるサービス提供ｅＮＢとの間の所望の送信を示す。両矢印付きの破線は、ＵＥとｅＮＢとの間の干渉する可能性のある送信を示す。
【００２２】
[0037]図２は、図１の基地局／ｅＮＢの１つであり得る基地局／ｅＮＢ１１０と、図１のＵＥの１つであり得るＵＥ１２０との設計のブロック図を示す。基地局１１０はＴ個のアンテナ２３４ａ〜２３４ｔを装備し得、ＵＥ１２０はＲ個のアンテナ２５２ａ〜２５２ｒを装備し得、一般にＴ≧１およびＲ≧１である。
【００２３】
[0038]基地局１１０において、送信プロセッサ２２０は、１つまたは複数のＵＥに関してデータソース２１２からデータを受信し、ＵＥから受信されたＣＱＩに基づいて各ＵＥのために１つまたは複数の変調／コーディング方式（ＭＣＳ：modulation and coding scheme）を選択し、そのＵＥのために選択されたＭＣＳに基づいて各ＵＥのためにデータを処理（たとえば、符号化および変調）し、すべてのＵＥにデータシンボルを提供し得る。送信プロセッサ２２０は、（たとえば、ＳＲＰＩなどのための）システム情報および制御情報（たとえば、ＣＱＩ要求、許可、上位レイヤシグナリングなど）を処理し、オーバーヘッドシンボルおよび制御シンボルを提供することもできる。プロセッサ２２０は、基準信号（たとえば、ＣＲＳ）および同期信号（たとえば、ＰＳＳおよびＳＳＳ）のための基準シンボルを生成することもできる。送信（ＴＸ）多入力多出力（ＭＩＭＯ）プロセッサ２３０は、適用可能な場合、データシンボル、制御シンボル、オーバーヘッドシンボル、および／または基準シンボルに対して空間処理（たとえば、プリコーディング）を実行し得、Ｔ個の出力シンボルストリームをＴ個の変調器（ＭＯＤ）２３２ａ〜２３２ｔに提供し得る。各変調器２３２は、出力サンプルストリームを取得するために、（たとえば、ＯＦＤＭなどのための）それぞれの出力シンボルストリームを処理し得る。各変調器２３２はさらに、ダウンリンク信号を取得するために、出力サンプルストリームを処理（たとえば、アナログに変換、増幅、フィルタ処理、およびアップコンバート）し得る。変調器２３２ａ〜２３２ｔからのＴ個のダウンリンク信号は、それぞれＴ個のアンテナ２３４ａ〜２３４ｔを介して送信され得る。
【００２４】
[0039]ＵＥ１２０において、アンテナ２５２ａ〜２５２ｒが、基地局１１０および／または他の基地局からダウンリンク信号を受信し得、受信信号をそれぞれ復調器（ＤＥＭＯＤ）２５４ａ〜２５４ｒに与え得る。各復調器２５４は、入力サンプルを取得するために、その受信信号を調整（たとえば、フィルタ処理、増幅、ダウンコンバート、およびデジタル化）し得る。各復調器２５４はさらに、受信シンボルを取得するために、（たとえば、ＯＦＤＭなどのための）入力サンプルを処理し得る。ＭＩＭＯ検出器２５６は、すべてのＲ個の復調器２５４ａ〜２５４ｒから受信シンボルを取得し、適用可能な場合、受信シンボルに対してＭＩＭＯ検出を実行し、検出されたシンボルを提供し得る。受信プロセッサ２５８は、検出されたシンボルを処理（たとえば、復調および復号）し、ＵＥ１２０のための復号されたデータをデータシンク２６０に提供し、復号された制御情報およびシステム情報をコントローラ／プロセッサ２８０に提供し得る。チャネルプロセッサは、ＲＳＲＰ、ＲＳＳＩ、ＲＳＲＱ、ＣＱＩなどを決定し得る。
【００２５】
[0040]アップリンク上では、ＵＥ１２０において、送信プロセッサ２６４は、データソース２６２からのデータと、コントローラ／プロセッサ２８０からの（たとえば、ＲＳＲＰ、ＲＳＳＩ、ＲＳＲＱ、ＣＱＩなどを備えるレポートのための）制御情報とを受信し、処理し得る。プロセッサ２６４は、１つまたは複数の基準信号のための基準シンボルを生成することもできる。送信プロセッサ２６４からのシンボルは、適用可能な場合、ＴＸ  ＭＩＭＯプロセッサ２６６によってプリコーディングされ、（たとえば、ＳＣ−ＦＤＭ、ＯＦＤＭなどのための）変調器２５４ａ〜２５４ｒによってさらに処理され、基地局１１０に送信され得る。基地局１１０において、ＵＥ１２０および他のＵＥからのアップリンク信号は、アンテナ２３４によって受信され、復調器２３２によって処理され、適用可能な場合、ＭＩＭＯ検出器２３６によって検出され、ＵＥ１２０によって送信された復号済データおよび制御情報を取得するために受信プロセッサ２３８によってさらに処理され得る。プロセッサ２３８は、復号済データをデータシンク２３９に提供し、復号済制御情報をコントローラ／プロセッサ２４０に提供し得る。基地局１１０は、通信ユニット２４４を含み、通信ユニット２４４を介してネットワークコントローラ１３０に通信し得る。ネットワークコントローラ１３０は、通信ユニット２９４と、コントローラ／プロセッサ２９０と、メモリ２９２とを含み得る。
【００２６】
[0041]コントローラ／プロセッサ２４０および２８０は、それぞれ基地局１１０およびＵＥ１２０における動作を指示し得る。基地局１１０におけるプロセッサ２４０および／もしくは他のプロセッサおよびモジュール、ならびに／または、ＵＥ１２０におけるプロセッサ２８０および／もしくは他のプロセッサおよびモジュールは、本明細書で説明する技法のためのプロセスを実行または指示し得る。メモリ２４２および２８２はそれぞれ、基地局１１０およびＵＥ１２０のためのデータおよびプログラムコードを記憶し得る。スケジューラ２４６は、ダウンリンク上および／またはアップリンク上のデータ送信のためにＵＥをスケジューリングし得る。
【００２７】
[0042]ＵＥ１２０にデータを送信するとき、基地局１１０は、データ割振りサイズに少なくとも部分的に基づいてバンドルサイズを決定し、決定されたバンドルサイズのバンドルされた連続リソースブロック中のデータをプリコーディングするように構成され得、ここにおいて、各バンドル中のリソースブロックは、共通プリコーディング行列を用いてプリコーディングされ得る。すなわち、リソースブロック中のＵＥ−ＲＳなどの基準信号および／またはデータは、同じプリコーダを使用してプリコーディングされ得る。バンドルされたＲＢ（リソースブロック）の各ＲＢ中のＵＥ−ＲＳのために使用される電力レベルも同じであり得る。
【００２８】
[0043]ＵＥ１２０は、基地局１１０から送信されたデータを復号するために、相補的処理を実行するように構成され得る。たとえば、ＵＥ１２０は、連続リソースブロック（ＲＢ）のバンドルにおける基地局から送信された受信データのデータ割振りサイズに基づいてバンドルサイズを決定することと、ここにおいて、各バンドルにおけるリソースブロック中の少なくとも１つの基準信号が共通プリコーディング行列を用いてプリコーディングされ、決定されたバンドルサイズと基地局から送信された１つまたは複数の基準信号（ＲＳ：reference signal）とに基づいて少なくとも１つのプリコーディングチャネルを推定することと、推定されたプリコーディングチャネルを使用して受信されたバンドルを復号することとを行うように構成され得る。
【００２９】
[0044]図３は、ＬＴＥのＦＤＤのための例示的なフレーム構造３００を示す。ダウンリンクおよびアップリンクの各々に関する送信タイムラインは、無線フレームの単位に区分され得る。各無線フレームは、所定の持続時間（たとえば、１０ミリ秒（ｍｓ））を有することができ、０〜９のインデックスを有する１０個のサブフレームに区分され得る。各サブフレームは、２つのスロットを含み得る。したがって、各無線フレームは、０〜１９のインデックスを有する２０個のスロットを含み得る。各スロットは、Ｌ個のシンボル期間、たとえば、ノーマルサイクリックプレフィックスでは７つのシンボル期間（図３に示す）、または拡張サイクリックプレフィックスでは６つのシンボル期間を含み得る。各サブフレーム中の２Ｌ個のシンボル期間は、０〜２Ｌ−１のインデックスを割り当てられ得る。
【００３０】
[0045]ＬＴＥでは、ｅＮＢは、ｅＮＢによってサポートされるセルごとにシステム帯域幅の中心１．０８ＭＨｚにおいてダウンリンク上で１次同期信号（ＰＳＳ：primary synchronization signal）と２次同期信号（ＳＳＳ：secondary synchronization signal）とを送信し得る。図３に示すように、ＰＳＳおよびＳＳＳは、それぞれ、ノーマルサイクリックプレフィックスによる各無線フレームのサブフレーム０および５の中のシンボル期間６および５において送信され得る。ＰＳＳおよびＳＳＳは、セル探索および捕捉のためにＵＥによって使用され得る。ｅＮＢは、ｅＮＢによってサポートされるセルごとにシステム帯域幅全体でセル固有の基準信号（ＣＲＳ：cell-specific reference signal）を送信し得る。ＣＲＳは、各サブフレームのいくつかのシンボル期間において送信され得、チャネル推定、チャネル品質測定、および／または他の機能を実行するためにＵＥによって使用され得る。ｅＮＢは、いくつかの無線フレームのスロット１中のシンボル期間０〜３において物理ブロードキャストチャネル（ＰＢＣＨ：physical broadcast channel）を送信することもできる。ＰＢＣＨは、何らかのシステム情報を搬送し得る。ｅＮＢは、いくつかのサブフレームにおいて物理ダウンリンク共有チャネル（ＰＤＳＣＨ：physical downlink shared channel）上でシステム情報ブロック（ＳＩＢ：system information block）などの他のシステム情報を送信し得る。ｅＮＢは、サブフレームの第１のＢ個のシンボル期間において物理ダウンリンク制御チャネル（ＰＤＣＣＨ：physical downlink control channel）上で制御情報／データを送信し得るが、ここで、Ｂは各サブフレームに関して構成可能であり得る。ｅＮＢは、各サブフレームの残りのシンボル期間においてＰＤＳＣＨ上でトラフィックデータおよび／または他のデータを送信し得る。
【００３１】
[0046]図４は、ノーマルサイクリックプレフィックスを有する２つの例示的なサブフレームフォーマット４１０および４２０を示す。利用可能な時間周波数リソースは、リソースブロックに区分され得る。各リソースブロックは、１つのスロット内に１２個のサブキャリアをカバーすることができ、いくつかのリソース要素を含み得る。各リソース要素は、１つのシンボル期間内に１つのサブキャリアをカバーすることができ、実数値または複素数値であり得る１つの変調シンボルを送信するために使用され得る。
【００３２】
[0047]サブフレームフォーマット４１０は、２つのアンテナのために使用され得る。ＣＲＳは、シンボル周期０、４、７および１１においてアンテナ０および１から送信され得る。基準信号は、送信機および受信機によってアプリオリに知られる信号であり、パイロットと呼ばれることもある。ＣＲＳは、たとえば、セル識別情報（ＩＤ）に基づいて生成された、セルに固有の基準信号である。図４では、ラベルＲａを有する所与のリソース要素に関して、アンテナａからはそのリソース要素上で変調シンボルが送信され得、他のアンテナからはそのリソース要素上で変調シンボルが送信されないことがある。サブフレームフォーマット４２０は、４つのアンテナとともに使用され得る。ＣＲＳは、シンボル周期０、４、７、および１１においてアンテナ０および１から送信され得、シンボル周期１および８においてアンテナ２および３から送信され得る。サブフレームフォーマット４１０とサブフレームフォーマット４２０の両方に関して、ＣＲＳは、セルＩＤに基づいて決定され得る、均等に離間したサブキャリア上で送信され得る。ＣＲＳは、それらのセルＩＤに応じて、同じかまたは異なるサブキャリア上で送信され得る。サブフレームフォーマット４１０と４２０の両方に関して、ＣＲＳに使用されないリソース要素が、データ（たとえば、トラフィックデータ、制御データ、および／または他のデータ）を送信するために使用され得る。
【００３３】
[0048]ＬＴＥにおけるＰＳＳ、ＳＳＳ、ＣＲＳ、およびＰＢＣＨは、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ」と題する３ＧＰＰ  ＴＳ  ３６．２１１に記載されている。
【００３４】
[0049]ＬＴＥにおけるＦＤＤのダウンリンクおよびアップリンクの各々に、インターレース構造が使用され得る。たとえば、Ｑが４、６、８、１０、または何らかの他の値に等しくなり得る場合、０からのインデックスを有するＱ個のインターレースが定義され得る。各インターレースは、Ｑ個のフレームだけ離間したサブフレームを含み得る。特に、インターレースｑは、サブフレームｑ、ｑ＋Ｑ、ｑ＋２Ｑなどを含み得るが、ここにおいて、ｑ∈｛０、．．．、Ｑ−１｝である。
【００３５】
[0050]ワイヤレスネットワークは、ダウンリンクおよびアップリンクにおけるデータ送信のためのハイブリッド自動再送信要求（ＨＡＲＱ）をサポートし得る。ＨＡＲＱの場合、送信機（たとえば、ｅＮＢ）は、パケットが受信機（たとえば、ＵＥ）によって正確に復号されるまで、または何らかの他の終了条件に遭遇するまで、パケットの１つまたは複数の送信を送り得る。同期ＨＡＲＱの場合、パケットのすべての送信は、単一のインターレースのサブフレームにおいて送られ得る。非同期ＨＡＲＱの場合、パケットの各送信は、任意のサブフレームにおいて送られ得る。
【００３６】
[0051]ＵＥは、複数のｅＮＢのカバレージ内に位置し得る。そのＵＥにサービスするために、これらのｅＮＢのうちの１つが選択され得る。サービス提供ｅＮＢは、受信信号強度、受信信号品質、経路損失などの様々な基準に基づいて選択され得る。受信信号品質は、信号対干渉プラス雑音比（ＳＩＮＲ：signal to interference plus noise ratio）、または基準信号受信品質（ＲＳＲＱ：reference signal received quality）、または何らかの他のメトリックによって定量化され得る。ＵＥは、ＵＥが１つまたは複数の干渉ｅＮＢからの高干渉を観測し得る支配的干渉シナリオにおいて動作し得る。
【００３７】
マシンタイプ通信（ＭＴＣ）カバレージ拡張のための例示的な単一周波数ネットワーク（ＳＦＮ）動作
[0052]マシンタイプ通信（ＭＴＣ）とともに使用するためのロングタームエボリューション（ＬＴＥ）の低コストおよび低電力の動作が望ましい。いくつかの場合には、ＭＴＣデバイスは、有効な自然のシールディングとともに地下または他のエリアに配置される。これらのタイプのＭＴＣデバイスに対するカバレージを提供するために、１６０ｄＢのリンクバジェットが考慮されてきた。１６０ｄＢのリンクバジェットは、ＬＴＥに関する現在のリンクバジェット（すなわち、１４０ｄＢのリンクバジェット）よりも２０ｄＢ高い。ＭＴＣを伴うＬＴＥに関するカバレージ拡張技法は、通常、電力およびコストを増大させ、仕様および実装にかなりの影響を及ぼす場合もある。
【００３８】
[0053]たとえば、ブロードキャストチャネルに関するカバレージを増大させ、ランダムアクセスチャネル（ＲＡＣＨ）に関するカバレージを増大させ、後続の送信を確立するための技法が望ましい。延長された送信時間間隔（ＴＴＩ）を使用してデータチャネルのカバレージを拡張することが可能であるが、延長されたＴＴＩの使用は、より高い電力消費量につながり、他のチャネルに関するカバレージの増大をもたらさない。１次同期信号（ＰＳＳ）および２次同期信号（ＳＳＳ）は、再使用を有し、したがって、同期ネットワークにおいて、単純な平均化は、十分なリンクバジェット利得をもたらさない。
【００３９】
[0054]したがって、ＭＴＣのカバレージに関してＬＴＥを拡張し、電力およびコストの増大が最小のリンクバジェット利得を拡張するための技法および装置が望ましい。
【００４０】
[0055]マシンタイプ通信（ＭＴＣ）カバレージ拡張のための単一周波数ネットワーク（ＳＦＮ）動作に関する技法が、本明細書に提示される。
【００４１】
[0056]いくつかの態様によれば、ＳＦＮ動作は、ダウンリンク（ＤＬ）信号カバレージを拡張するために、たとえばブロードキャストチャネルカバレージを拡張するために使用され得る。ＳＦＮ動作は、アップリンク（ＵＬ）上のジョイント処理にも使用され得る。たとえば、ＳＦＮ動作は、ＤＬ送信エネルギーおよびＵＬ受信エネルギーを増大させるために使用され得る。ＳＦＮ動作は、ＤＬ上の他のセルからの干渉とＵＬ上の他のユーザからの干渉とを低減させるためにも使用され得る。いくつかの態様では、セル分割利得は、局所的なＳＦＮまたはデータチャネルセル分割を介して可能であり得る。
【００４２】
[0057]ＭＴＣカバレージ拡張のためのＳＦＮ動作が、レガシーユーザと後方互換性があり、他の非ＭＴＣユーザ（すなわち、複数のセルからＳＦＮでレガシー信号を送信することができない）と共存する能力であることが望ましい場合がある。いくつかの態様によれば、新しいチャネル、信号、およびプロシージャは、後方互換性、カバレージ、コスト、および電力消費量を考慮してＭＴＣに関して設計され得る。いくつかの態様では、必須のチャネル、信号、およびプロシージャのみが使用され得る。
【００４３】
[0058]いくつかの態様によれば、セルにわたる同期したネットワーク協調が仮定され得る。ＭＴＣに関する最小サポートチャネルは、同期のためのＭＴＣ＿ＳＹＮＣと、システム情報に関するＭＴＣ＿ＳＩＢ＿ＬＩＴＥと、アクセスに関するＭＴＣ＿ＲＡＣＨ（たとえば、ＲＡＣＨプロシージャを実行する際に使用される）と、持続的な割当てに関するＭＴＣ＿ＰＤＣＣＨと、ＤＬデータ送信に関するＭＴＣ＿ＰＤＳＣＨと、ＵＬデータ送信に関するＭＴＣ＿ＰＵＳＣＨとを含み得る。
【００４４】
[0059]いくつかの態様によれば、ＭＴＣ＿ＳＹＮＣチャネルに関して、同期したネットワークにおいてサブフレーム境界に関するタイミングを提供するために、すべてのセルからＳＦＮモードで信号が送信され得る。ＭＴＣ＿ＳＹＮＣは、電力増大を伴う狭帯域（たとえば、１リソースブロック（ＲＢ））であり得る。ＭＴＣ＿ＳＹＮＣは、追加のエネルギー合成利得をもたらすために複数のシンボルに広がる。いくつかの態様では、ＭＴＣ＿ＳＹＮＣは、Ａｌｍｏｓｔ-Ｂｌａｎｋ  Ｓｕｂｆｒａｍｅ（ＡＢＳＦ）またはニューキャリアタイプ（ＮＣＴ）サブフレームで送信され得るが、ここにおいて、レガシー信号は存在しない。レガシーＵＥは、マルチキャストブロードキャスト単一周波数ネットワーク（ＭＢＳＦＮ）サブフレームを介してシグナリングされ得る。
【００４５】
[0060]いくつかの態様によれば、ＭＴＣ＿ＳＩＢ＿ＬＩＴＥに関して、システムタイミングおよび仮想セルＩＤを含む詳細なシステム情報が提供され得る。いくつかの態様では、ＭＴＣ＿ＳＩＢ＿ＬＩＴＥは、ＭＴＣ＿ＳＹＮＣに関して固定されたタイミングで送信され得る。いくつかの態様では、ＭＴＣ＿ＳＩＢ＿ＬＩＴＥは、セル分割または局所的なＳＦＮを使用して送信され得る。いくつかの態様では、ＭＴＣ＿ＳＩＢ＿ＬＩＴＥは、１日のうちの実際のタイミングの指示に基づいて送信され得る。いくつかの態様では、ＭＴＣ＿ＳＩＢ＿ＬＩＴＥは、次のＭＴＣ＿サブフレームに対するタイミングで送信され得る。いくつかの態様では、ＭＴＣ＿ＳＩＢ＿ＬＩＴＥは、ＳＩＢ＿ＬＩＴＥにおける時分割複信（ＴＤＤ）構成または半二重ＤＬ／ＵＬ送信に関する構成に基づくタイミングで送信され得る。
【００４６】
[0061]いくつかの態様によれば、ＭＴＣ＿ＲＡＣＨ（すなわち、ＲＡＣＨメッセージ）に関して、延長されたＴＴＩを有する新しいＭＴＣ＿ＲＡＣＨシーケンスが使用され得る。ＭＴＣ＿ＲＡＣＨは、ＭＴＣ＿ＳＩＢ＿ＬＩＴＥの送信後に固定されたタイミングで送信され得る。ＭＴＣデバイスは、システムにアクセスするか、またはＤＬシグナリングをさらにトリガするためにＭＴＣ＿ＲＡＣＨを送信し得る。
【００４７】
[0062]いくつかの態様では、様々なＴＴＩを有する複数のＲＡＣＨ構成がサポートされ得る。ＭＴＣデバイスは、ＭＴＣ＿ＳＹＮＣから受信されたＤＬ信号に基づいてＲＡＣＨに対する適切なＴＴＩバンドル長さを選択し得る。初期のサービスでは、最長のＲＡＣＨ  ＴＴＩが使用され得る。
【００４８】
[0063]いくつかの態様では、異なる情報（たとえば、接続確立がかなり緊急であること）をシグナリングするために、異なるＲＢを有する複数のＲＡＣＨ構成が使用され得る。
【００４９】
[0064]いくつかの態様では、新しいＭＴＣ＿ＲＡＣＨがＭＴＣ＿ＳＦ領域外で検出される場合、ＭＴＣ＿ＲＡＣＨは、初期のサービス設定によりＭＴＣとして扱われ得る。たとえば、ＭＴＣ＿ＳＩＢ＿ＬＩＴＥは、ＭＴＣ＿ＳＦを指し示すために送信され得る。
【００５０】
[0065]いくつかの態様によれば、持続的な割当てに関するＭＴＣ＿ＰＤＣＣＨに関して、ＭＴＣデバイスは、初期の接続確立中に、そのサービスタイプおよびトラフィック要件をネットワークにシグナリングし得る。ＵＬ送信フォーマット、ＲＢ、および変調／コーディング方式（ＭＣＳ）は、仕様によって固定されるか、またはデフォルトのＭＴＣ＿ＰＤＳＣＨによってネットワークからシグナリングされ得る。サービス提供ｅＮｏｄｅ  Ｂ（ｅＮＢ）は、ＭＴＣ＿ＰＤＣＣＨおよび／またはＭＴＣ＿ＰＤＳＣＨにおいてＭＴＣデバイスにいくつかの構成を提供し得る。たとえば、いくつかの構成は、ＴＴＩ当りのＭＴＣ基準信号（ＲＳ）シンボルの数、ＴＴＩバンドルのサイズ、ハイブリッド自動再送信要求（ＨＡＲＱ）をサポートすべきかどうか、送信時間、およびコーディングタイプ（たとえば、ターボコーディング（ＴＣ）またはチャネルコーディング（ＣＣ））などの、ＤＬおよびＵＬの送信フォーマットを含み得る。
【００５１】
[0066]図５は、本開示のいくつかの態様による、初期のサービス設定のための例示的な同期を示す。図５に見られるように、ＭＴＣ＿ＳＹＮＣ５０２は、固定されたタイミングＴ１で、すべてのセル（たとえば、セル１・・・セル６）からＳＦＮを用いて送信され得る。いくつかの態様では、ＭＴＣ＿ＳＹＮＣは、狭帯域を使用して延長されたＴＴＩで送信され得る。ＭＴＣ＿ＳＩＢ＿ＬＩＴＥ５０４は、ＭＴＣ＿ＳＹＮＣ５０２に関するタイミングに基づいて固定されたタイミングＴ２で、すべての近隣のセル（たとえば、セル１・・・セル６）から局所的なＳＦＮを用いて送信され得る。ＭＴＣ＿ＲＡＣＨ５０６は、延長されたＴＴＩおよび固定されたタイミングＴ３を有し得る。ＭＴＣ＿ＲＡＣＨ５０６は、ＳＦＮなしで（たとえば、セル４によって）送信され得る。
【００５２】
[0067]いくつかの態様によれば、ＭＴＣ＿ＳＦの外部にＭＴＣ＿ＲＡＣＨを送信することは、図５に示す緊急の初期のサービス設定をトリガし得る。初期のサービス設定の後、ＭＴＣデバイスは、それ自体のＭＴＣ＿ＳＦサイクルにおいてのみ起動し得る（たとえば、ＭＴＣデバイスは、ＭＴＣサブフレームのためにのみ起動する）。いくつかの実施形態では、ＭＴＣ＿ＳＹＮＣのみが、ＭＴＣ＿ＳＦの外部に定期的に送信され得、ＭＴＣ＿ＳＩＢ＿ＬＩＴＥは、ＭＴＣ＿ＲＡＣＨによってトリガされた場合にのみ送信され得る。
【００５３】
[0068]図６は、本開示のいくつかの態様による、ＭＴＣ＿ＲＡＣＨの後にセルがさらに分割される、ＭＴＣサービス設定を有する例示的なＭＴＣ＿ＳＦを示す。図６に見られるように、ＭＴＣ＿ＳＹＮＣ５０２およびＭＴＣ＿ＳＩＢ＿ＬＩＴＥ５０４は、図５と同様にＳＦＮを用いて送信され得る。しかしながら、ＭＴＣ＿ＲＡＣＨ６０６は、２つ以上のセルにまたがって分割され得、ＭＴＣ＿ＰＤＣＣＨ６０８は、ＭＴＣ＿ＲＡＣＨ６０６に基づいて分割されたセルを有し得る。
【００５４】
[0069]図７は、本開示のいくつかの態様による、ＭＴＣ＿ＳＩＢ＿ＬＩＴＥにおいてＭＴＣ＿ＲＡＣＨの前に分割された例示的なセルを示す。図７に示すように、ＭＴＣ＿ＳＹＮＣ５０２は、図５および図６と同様に送信され得る。いくつかの態様によれば、ＭＴＣ＿ＳＩＢ＿ＬＩＴＥ７０４は、セル分割を用いて送信され得る。たとえば、ＭＴＣ＿ＳＩＢ＿ＬＩＴＥ７０４は、近隣のセル４、５、および６から局所的なＳＦＮを利用して送信され、さらにセル１、２、および３上に分割され得る。セル分割は、ＭＴＣ＿ＲＡＣＨ７０６に基づく可能性がある。
【００５５】
[0070]いくつかの態様では、初期のシステム情報をすでに取得したＭＴＣデバイスに関して、固定位置ＭＴＣ＿ＳＩＢが、定期的に（たとえば、ＭＴＣ＿ＳＦにおいて）送信され得る。このことは、ＭＴＣデバイスが正確なタイミングを維持しない場合には有用であり、ＭＴＣデバイスは、ＲＡＣＨの代わりにＭＴＣ＿ＳＩＢを探索するために決まった時刻に起動し得る。ＭＴＣ＿ＳＩＢは、ＭＴＣ＿ＳＦの外部にＭＴＣをサービスするにすぎないＭＴＣ＿ＳＩＢ＿ＬＩＴＥよりも多くの情報を提供することができる。
【００５６】
[0071]いくつかの態様では、ＭＴＣ＿Ｐａｇｉｎｇが、ＤＬページングを必要とするデバイスに関して定期的に送信され得る。
【００５７】
[0072]図８は、本開示のいくつかの態様による、局所的なＳＦＮエリア内のチャネルに関する例示的なＳＦＮ  ＤＬとジョイント受信ＵＬとを示す。図８に見られるように、ＳＦＮエリアＳＦＮ１  ８０２およびＳＦＮ２  ８０４は、領域８０６において重なる可能性があり、より良いカバレージを可能にするために時間的に交互に配置され得る。「ＬＰＮ」は、低電力ノードを表す。
【００５８】
[0073]図９は、本開示のいくつかの態様による、同期およびデータのセル分割に関する例示的な広域的ＳＦＮを示す。図９に見られるように、同期チャネルＳＦＮは、すべてのセルからのタイミングに対して広域的に送信され得る。いくつかの態様によれば、受信ＲＡＣＨ電力に基づいて、データ送信に関してセル分割が達成され得る。たとえば、図９を参照すると、ＭＴＣ１  ９０８がＬＰＮ１  ９１０によってサービスされ、ＭＴＣ２  ９１２がＭＴＣに対して透過的な複数のセルによってサービスされ得るように、ＶＣＩ（仮想セルＩＤ）および他の構成を有する持続的な割当てが、ＭＴＣに対して行われ得る。
【００５９】
[0074]図１０は、本開示のいくつかの態様による、すべてのチャネルに関する局所的なＳＦＮの例示的なコールフロー１０００を示す。ステップ０ａにおいて、マクロセル１００２およびＬＰＮ１００４は、ＭＴＣデバイス１００６に、ＭＴＣ＿ＳＦ内のＭＴＣ＿ＳＹＮＣおよびＭＴＣ＿ＳＩＢ＿ＬＩＴＥのＳＦＮ送信を送り得る。ＭＴＣデバイス１００６は、ステップ０においてＭＴＣ＿ＳＹＮＣおよびＭＴＣ＿ＳＩＢ＿ＬＩＴＥからのセル捕捉を実行し得る。ステップ１において、ＭＴＣデバイス１００６は、大きいＴＴＩを有するＭＴＣ＿ＲＡＣＨをＬＰＮ１００４に送信し得る。ステップ１ａにおいて、ＬＰＮ１００４は、ＭＴＣ＿ＲＡＣＨを検出し、それをマクロセル１００２に報告し得る。ステップ１ｂにおいて、マクロセル１００２は、ジョイント受信を実行し、ステップ２ａにおいて、マクロセル１００２は、ＤＬ送信においてＬＰＮ１００４にシグナリングする。ステップ２において、マクロセル１００２およびＬＰＮ１００４は、タイミング、電力、ＶＣＩ、ＲＢ、およびＭＣＳ情報を含むＤＬおよびＵＬの構成に関してＭＴＣデバイス１００６（たとえば、ＵＥ）にシグナリングする。ステップ３において、ＭＴＣデバイス１００６は、シグナリングされたＵＬ、ＶＣＩ、タイミング、電力レベル、ＲＢ、ＭＴＣなどに応じて、持続的なＭＴＣ＿ＰＵＳＣＨを送信する。ステップ３ａにおいて、ＬＰＮ１００４は、ＭＴＣ＿ＰＵＳＣＨを受信し、マクロセル１００２に報告し得る。ステップ３ｂにおいて、マクロセルは、ジョイント受信を実行することができ、ステップ４ａにおいて、マクロセル１００２は、ＤＬ送信においてＬＰＮ１００４にシグナリングし得る。ステップ４において、すべてのＳＦＮセル（たとえば、マクロセル１００２およびＬＰＮ１００４）は、ＤＬ  ＰＣＩ／ＶＣＩ、ＲＢ、ＭＴＣなどを使用してＭＴＣデバイス１００６に関するＤＬの持続的なＭＴＣ＿ＰＤＳＣＨを送信する。
【００６０】
[0075]図１１は、本開示のいくつかの態様による、広域的な同期ＳＦＮと局所的な分割データとに関する例示的なコールフロー１１００を示す。ステップ０ａにおいて、すべてのＳＦＮセル（たとえば、マクロセル１１０２およびＬＰＮ１１０４）は、ＭＴＣ＿ＳＦにおいてＭＴＣデバイス１１０６にＭＴＣ＿ＳＹＮＣおよびＭＴＣ＿ＳＩＢ＿ＬＩＴＥを送信し得る。ステップ０において、ＭＴＣデバイス１１０６は、ＭＴＣ＿ＳＹＮＣおよびＭＴＣ＿ＳＩＢ＿ＬＩＴＥからシステムタイミングおよび可能なＲＡＣＨ構成を捕捉し得る。ステップ１において、ＭＴＣデバイス１１０６は、大きいＴＴＩを有するＭＴＣ＿ＲＡＣＨをＬＰＮ１１０４およびマクロセル１１０２に送信し得る。ステップ１ａにおいて、ＬＰＮ１１０４は、ＭＴＣ＿ＲＡＣＨを検出し、マクロセル１１０２に報告し得る。ステップ１ｂにおいて、マクロセル１１０２は、ジョイント受信を実行し、最良のサービス提供セルを選択し得る。ステップ２ａにおいて、マクロセル１１０２は、ＳＦＮまたはセル分割のためにＤＬ送信においてＬＰＮ１１０４にシグナリングし得る。ステップ２において、サービス提供セル（すなわちマクロセル１１０２によって選択されたＬＰＮ１１０４）は、タイミング、電力、ＶＣＩ、ＲＢ、およびＭＣＳ情報を含むＤＬおよびＵＬの構成に関してＭＴＣデバイス１１０６（たとえば、ＵＥ）にシグナリングし得る。ステップ３において、ＭＴＣデバイス１１０６は、シグナリングされたＵＬ、ＶＣＩ、タイミング、電力レベル、ＲＢ、ＭＴＣなどに応じて、持続的なＭＴＣ＿ＰＵＳＣＨをサービス提供セルにシグナリングし得る。ステップ４において、ＳＦＮセル（たとえば、マクロセル１１０２およびＬＰＮ１１０４）は、ＤＬ  ＰＣＩ／ＶＣＩ、ＲＢ、ＭＴＣなどを使用してＭＴＣデバイス１１０６にＤＬで持続的なＭＴＣ＿ＰＤＳＣＨを送信し得る。
【００６１】
[0076]いくつかの態様によれば、延長されたＴＴＩ設計は、ＤＬとＵＬの両方に関する多い反復およびバンドルに依拠し得る。干渉を低減させるために、ＤＬブロードキャストチャネルの時分割多重（ＴＤＭ）および周波数分割多重（ＦＤＭ）区分が使用され得る。新しいＤＬブロードキャスト信号は、深いカバレージを可能にするために長い持続時間で反復され得る。たとえば、最小のシステム情報（ＳＩ）更新周期は、ＭＴＣ＿ＳＩＢに関して６４０ｍｓからそれより長い長さまで増大され得る。
【００６２】
[0077]いくつかの態様によれば、データに関して、バンドルのサイズは、接続設定中にＭＴＣにシグナリングされ得る。ＲＡＣＨとＤＬ初期割当てとに関して、バンドル送信の最悪状況が使用され得る。複数のＭＴＣ＿ＲＡＣＨおよび初期割当て構成（たとえば、ＴＴＩ長さ、シーケンス時間、および送信時間）は、ＭＴＣ＿ＳＩＢにおいて提供されるか、または使用において定義され得る。いくつかの態様では、良好なカバレージを有するＭＴＣは、ＲＡＣＨに関する比較的低いバンドルサイズを選択し得る。ＭＴＣデバイスは、ＤＬ信号を得るために平均化された、ＤＬ受信信号強度またはその時間に基づいて決定し得る。このことは、ブラインド検出およびリソース利用量を低減させ得る。
【００６３】
[0078]図１２は、本開示のいくつかの態様による、ＭＴＣ同期およびＲＡＣＨの時間および周波数の再使用を示す。
【００６４】
[0079]いくつかの態様によれば、ＭＴＣ＿ＰＵＳＣＨに関して、カバレージを拡張するために、既存のＰＵＳＣＨ／ＰＵＣＣＨチャネル構造に基づく送信フォーマットが使用され得る。良好なカバレージのユーザに関して、ＰＵＳＣＨ送信構造（たとえば、パイロットの１／７シンボル）が使用され得る。劣悪なカバレージのユーザに関して、パイロットオーバーヘッドが増加した状態（たとえば、パイロットの２／７シンボル）で、ＰＵＣＣＨフォーマット２、３の送信構造が使用され得る。いくつかの態様では、負荷を改善するためにユーザの多重化が使用され得る。極めて限定されたユーザに関して、パイロットオーバーヘッドが増加した状態（すなわち、パイロットの３／７シンボル）で、ＰＵＣＣＨフォーマット１またはＲＡＣＨの送信構造が使用され得る。上記のシナリオと同様に、負荷を改善するためにユーザの多重化が使用され得る。いくつかの態様では、実装を単純化するために、ＭＴＣ＿ＰＵＳＣＨは、（たとえば、１つまたは２つのＭＴＣ＿ＲＳシンボルを有するＰＵＳＣＨと同様に）１〜２個のフォーマットをサポートし得る。
【００６５】
[0080]いくつかの態様によれば、ＭＴＣ＿ＰＤＳＣＨに関して、ＰＳＳ／ＳＳＳ／ＰＢＣＨとの衝突を回避するために、第１のスロットにおいて、ＤＬ上のＭＴＣ−ＲＳ設計が使用され得る。捕捉に加えて、復調能力および追跡能力の改善を可能にするために、ＭＴＣ−ＲＳが使用され得る。いくつかの態様では、レガシーＵＥがＭＢＳＦＮサブフレームとしてシグナリングされる場合、ＭＴＣ−ＲＳは、特別なＭＴＣサブフレームにおいて送信され得る。
【００６６】
[0081]いくつかの態様では、ＭＴＣ−ＲＳは、ＰＵＳＣＨ  ＲＳと同様に、ＤＬにおいてシンボル全体を使用して送信され得る。スロット当りの複数のシンボルは、ＵＬ設計と同様にＭＴＣ−ＲＳに割り当てられ得る。代替的に、ＰＳＳ／ＳＳＳ／ＰＢＣＨとの衝突を回避するために、第１のスロットにおいてＭＴＣ−ＲＳのみが送信され得る。このことは、複数のＴＴＩまたは周波数にわたって平均化する、単純なチャネル推定を可能にし得る。
【００６７】
[0082]いくつかの態様によれば、ＭＴＣ−ＲＳは、任意のレガシー信号またはチャネルの周りでレートマッチングされ得る。
【００６８】
[0083]いくつかの態様によれば、ＭＴＣ−ＲＳは、ＳＦＮモードにおいて複数のセルから送信され得る。
【００６９】
[0084]図１３は、本開示のいくつかの態様による、ワイヤレス通信のための例示的な動作１３００を示す。動作１３００は、たとえば、ＵＥ（たとえば、ＵＥ１２０）によって実行され得る。動作１３００は、１３０２において、複数の送信ポイントからの単一周波数ネットワーク（ＳＦＮ）モードにおいてブロードキャストされた少なくとも１つの同期信号と、同期したネットワークにおいてサブフレーム境界に関するタイミングを提供する少なくとも１つの同期信号とを検出することによって開始し得る。いくつかの態様によれば、同期信号は、電力が増大され、ならびに／または、延長された持続時間および／もしくは狭帯域幅で送信され得る。
【００７０】
[0085]１３０４において、ＵＥは、複数の送信ポイントのうちの少なくとも１つから送信されるシステム情報を監視するために、少なくとも１つの同期信号を検出してから固定された時間の後に生じるサブフレームを決定し得る。いくつかの態様によれば、ＳＦＮモードで複数の送信ポイント（たとえば、異なるセルＩＤに対応する）によってメイ送信されるシステム情報。異なる送信ポイントは、異なるシステム情報を送信し得る。いくつかの態様では、送信ポイントは、異なるＶＣＩを有する異なるグループと関連付けられ得る。
【００７１】
[0086]１３０６において、ＵＥは、決定されたサブフレーム中でＳＩＢを監視し得る。いくつかの態様によれば、ＳＩＢは、実際のタイミングまたは次のＭＴＣサブフレームに対するタイミングに関してシステムタイミングを搬送するために、ＰＢＣＨとＳＩＢとを組み合わせ得る。
【００７２】
[0087]いくつかの態様によれば、ＲＡＣＨは、送信ポイントによるＳＩＢ送信後、固定されたタイミングで実行され得る。ＵＥは、様々なＲＢを有する複数のＲＡＣＨ構成で構成され得る。ＵＥは、使用されるＲＡＣＨ構成に基づいて異なる情報をシグナリングし得る。たとえば、使用されるＲＡＣＨ構成は、サービス設定または要求の緊急度を示し得る。
【００７３】
[0088]図１４は、本開示のいくつかの態様による、ワイヤレス通信のための例示的な動作１４００を示す。動作１４００は、たとえば、ＵＥ（たとえば、ＵＥ１２０）によって実行され得る。動作は、１４０２において、複数の送信ポイントのうちの少なくとも１つから送信された同期信号を検出することによって開始することができ、複数の送信ポイントの各々は、同期したネットワークにおいてサブフレーム境界に対して異なるオフセット時刻で同期信号を送信する。いくつかの態様によれば、送信ポイントは、各々が異なるＶＣＩを有する異なるグループと関連付けられ得る。いくつかの態様では、各同期信号は、送信ポイントの各々によって送信された共通のシーケンスを有する部分を含み得る。
【００７４】
[0089]１４０４において、ＵＥは、複数の送信ポイントのうちの少なくとも１つから送信されるシステム情報を監視するために、同期信号を検出してから固定された時間の後に生じるサブフレームを決定し得る。
【００７５】
[0090]１４０６において、ＵＥは、決定されたサブフレーム中でシステム情報ブロックを監視し得る。いくつかの態様によれば、ＵＥは、送信ポイントでＲＡＣＨプロシージャを実行し得る。ＲＡＣＨプロシージャ中に、ＵＥは、同期したネットワークのタイミングを示した応答を受信し得る。いくつかの態様では、ＵＥは、ＲＡＣＨプロシージャを実行した後、（たとえば、複数のサブフレーム中に）低電力状態に入り、ＵＥとの通信専用のサブフレーム（たとえば、ＭＴＣ＿ＳＦ）中にのみ低電力状態から抜け出ることができる。
【００７６】
[0091]図１５は、本開示のいくつかの態様による、ワイヤレス通信のための例示的な動作１５００を示す。動作１５００は、たとえば、ＵＥ（たとえば、ＵＥ１２０）によって実行され得る。動作１５００は、１５０２において、第１のタイプのＵＥのために指定されたサブフレーム中で、ダウンリンクサブフレーム内の少なくとも１つのシンボル全体を使用して１つまたは複数の送信ポイントから送信された基準信号を受信することを含み得る。
【００７７】
[0092]いくつかの態様では、スロット当りの複数のシンボルは、第１のタイプのＵＥに関するＲＳに割り当てられ得る。第１のタイプのＵＥに関するＲＳは、サブフレームの第１のスロットにおいてのみ送信され得る。いくつかの態様では、第２のタイプのＵＥに関する信号も、特別なサブフレームにおいて送信され得、ＵＥは、第２のタイプのＵＥに関する信号の周りでレートマッチングを実行し得る。ＲＳは、複数のセルから送信されるＳＦＮであり得る。
【００７８】
[0093]図１６は、本開示のいくつかの態様による、ワイヤレス通信のための例示的な動作１６００を示す。動作１６００は、たとえば、ＵＥ（たとえば、ＵＥ１２０）によって実行され得る。動作１６００は、１６０２において、物理アップリンク共有チャネル（ＰＵＳＣＨ）を送信することによって開始し得る。
【００７９】
[0094]１６０４において、ＵＥは、ＰＵＳＣＨでパイロットシンボルを含むことができ、パイロットシンボルに使用されるシンボルの数は、ＵＥのカバレージに基づいて変化する。いくつかの態様では、良好なカバレージを有するＵＥのパイロットシンボルに使用されるシンボルの数は、劣悪なカバレージを有するＵＥのパイロットシンボルに使用されるシンボルの数よりも少ない場合がある。いくつかの態様では、７つのシンボルのうちの１つは、良好なカバレージを有するＵＥのパイロットシンボルとして使用され得、７つのシンボルのうちの少なくとも２つは、劣悪なカバレージを有するＵＥのパイロットシンボルとして使用される。負荷を改善するために多重化が許容され得る。
【００８０】
[0095]本明細書で提示する技法については、（図１３〜図１６に示すように）ＵＥ側の動作に関して説明してきた。当然、当業者は、（たとえば、アクセスポイント、ｅＮＢなどによって）もう一方の基地局の動作が実行され得ることも認識するであろう。
【００８１】
[0096]本明細書で使用する、項目のリスト「のうちの少なくとも１つ」を指すフレーズは、単一のメンバを含む、それらの項目の任意の組合せを指す。一例として、「ａ、ｂ、またはｃのうちの少なくとも１つ」は、ａと、ｂと、ｃと、ａ−ｂと、ａ−ｃと、ｂ−ｃと、ａ−ｂ−ｃとを包含するものとする。
【００８２】
[0097]上述した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々なハードウェアおよび／またはソフトウェア／ファームウェア構成要素および／またはモジュールを含み得る。概して、図に示されている動作がある場合、それらの動作は、任意の好適な対応するカウンターパートのミーンズプラスファンクション構成要素によって実行され得る。
【００８３】
[0098]情報および信号は様々な異なる技術および技法のうちのいずれかを使用して表すことができることを、当業者なら理解されよう。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの組合せによって表され得る。
【００８４】
[0099]さらに、本明細書の開示に関連して説明した様々な例示的な論理ブロック、モジュール、回路、およびアルゴリズムステップは、ハードウェア、ソフトウェア／ファームウェア、またはそれらの組合せとして実装され得ることを、当業者は諒解されよう。ハードウェアとソフトウェア／ファームウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェア／ファームウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【００８５】
[0100]本明細書の開示に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。また、プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実現され得る。
【００８６】
[0101]本明細書の開示に関して説明した方法またはアルゴリズムのステップは、直接ハードウェアで実施されるか、プロセッサによって実行されるソフトウェア／ファームウェアモジュールで実施されるか、またはそれらの組合せで実施され得る。ソフトウェア／ファームウェアモジュールは、ＲＡＭメモリ、フラッシュメモリ、ＲＯＭメモリ、ＥＰＲＯＭメモリ、ＥＥＰＲＯＭ（登録商標）メモリ、相変化メモリ（ＰＣＭ）、レジスタ、ハードディスク、リムーバブルディスク、ＣＤ−ＲＯＭ、または当技術分野で知られている任意の他の形態の記憶媒体中に常駐し得る。例示の記憶媒体は、その記憶媒体からプロセッサが情報を読み取り、その記憶媒体にプロセッサが情報を書き込むことができるようにプロセッサに連結される。代替として、記憶媒体はプロセッサと一体化され得る。プロセッサおよび記憶媒体はＡＳＩＣ内に存在し得る。ＡＳＩＣはユーザ端末中に存在し得る。代替形態では、プロセッサおよび記憶媒体は、ユーザ端末内の個別構成要素として存在し得る。
【００８７】
[0102]１つまたは複数の例示的な設計では、説明した機能は、ハードウェア、ソフトウェア／ファームウェア、またはそれらの組合せで実装され得る。ソフトウェア／ファームウェアで実装した場合、機能は、１つもしくは複数の命令もしくはコードとしてコンピュータ可読媒体上に記憶されるか、またはコンピュータ可読媒体を介して送信され得る。コンピュータ可読媒体は、ある場所から別の場所へのコンピュータプログラムの転送を容易にする任意の媒体を含む、コンピュータ記憶媒体と通信媒体の両方を含む。記憶媒体は、汎用コンピュータまたは専用コンピュータによってアクセスされ得る任意の利用可能な媒体とし得る。限定ではなく例として、そのようなコンピュータ可読媒体は、ＲＡＭ、ＲＯＭ、ＥＥＰＲＯＭ、ＣＤ／ＤＶＤ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェア／ファームウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００８８】
[0103]本開示についての以上の説明は、いかなる当業者も本開示を作成または使用することができるようにするために提供される。本開示への種々の修正は当業者には容易に明らかとなり、本明細書で規定された一般原理は、本開示の趣旨または範囲から逸脱することなく他の変形形態に適用され得る。したがって、本開示は、本明細書で説明する例および設計に限定されるものではなく、本明細書で開示する原理および新規の特徴に合致する最も広い範囲を与えられるべきである。
【図１】
2016507199.tif 000003
【図２】
2016507199.tif 000004
【図３】
2016507199.tif 000005
【図４】
2016507199.tif 000006
【図５】
2016507199.tif 000007
【図６】
2016507199.tif 000008
【図７】
2016507199.tif 000009
【図８】
2016507199.tif 000010
【図９】
2016507199.tif 000011
【図１０】
2016507199.tif 000012
【図１１】
2016507199.tif 000013
【図１２】
2016507199.tif 000014
【図１３】
2016507199.tif 000015
【図１４】
2016507199.tif 000016
【図１５】
2016507199.tif 000017
【図１６】
2016507199.tif 000018
【国際調査報告】
2016507199.tif 000019
2016507199.tif 000020
2016507199.tif 000021
2016507199.tif 000022
2016507199.tif 000023
2016507199.tif 000024
2016507199.tif 000025